(57)【要約】      （修正有）【課題】未使用の水を入れた容器から供給された水を同一容器に回収し、一個の容器で兼用できるような液体貯蔵装置を提供する。【解決手段】液体貯蔵装置１は、上槽と下槽とを有する小貯留槽１１０を少なくとも一槽有し、複数の小貯留槽の場合には上槽連通口（１１２ａ、１１２ｂ）及び下槽連通口（１１３ａ、１１３ｂ）を有する区画壁によって区画構成される貯留槽と、小貯留槽には、上槽と下槽とを密封して仕切る隔膜３００と、貯留槽と仕切り壁を介して設けられ、仕切り壁の上槽との間に形成された連通口から上槽側の液体が流入して貯留された液体を外部に供給する供給貯留槽２００とを備えた構成をしている。隔膜は、上槽側に液体を入れた際に下槽の内周壁に張り付くほどに広がり、上槽側の液体を外部に供給し、下槽側に外部からの回収液体を回収するとき、上槽に入り込んでいく。【選択図】図３
2015223889.tif 000002
【特許請求の範囲】
【請求項１】
上槽と下槽とを有する小貯留槽を少なくとも一槽有し、複数の前記小貯留槽の場合には上槽連通口及び下槽連通口を有する区画壁によって区画構成される貯留槽と、
前記小貯留槽には、前記上槽と前記下槽とを密封して仕切る隔膜と、
前記貯留槽と仕切り壁を介して設けられ、前記仕切り壁の前記上槽との間に形成された連通口から前記上槽側の液体が流入して貯留された液体を外部に供給する供給貯留槽とを備え、
前記隔膜は、前記上槽側に液体を入れた際に前記下槽の内周壁に張り付くほどに広がり、前記上槽側の液体を外部に供給し、前記下槽側に外部からの回収液体を回収するとき、前記上槽に入り込んでいくことを特徴とする液体貯蔵装置。
【請求項２】
請求項１に記載の液体貯蔵装置において、
前記供給貯留槽は、液体を外部に供給するための供給貯留槽開口と、前記供給貯留槽開口に接続された供給パイプとを備え、
少なくとも１つの前記小貯留槽は、前記下槽に回収液体を回収するための下槽回収開口と回収パイプとを備えていることを特徴とする液体貯蔵装置。
【請求項３】
請求項１または請求項２に記載の液体貯蔵装置において、
前記上槽連通口は、前記区画壁の上端部及び隔膜取付部の上方近傍に形成されており、前記下槽連通口は、前記区画壁の下端部及び前記隔膜取付部の下方近傍に形成されていることを特徴とする液体貯蔵装置。
【請求項４】
請求項１乃至請求項３のいずれか１項に記載の液体貯蔵装置において、
前記連通口は、前記仕切り壁の上端部及び前記隔膜取付部の上方近傍に形成されていることを特徴とする液体貯蔵装置。
【請求項５】
請求項１乃至請求項４のいずれか１項に記載の液体貯蔵装置において、
前記供給パイプ及び前記回収パイプの少なくとも一方に駆動ポンプが接続されていることを特徴とする液体貯蔵装置。
【請求項６】
請求項１乃至請求項５のいずれか１項に記載の液体貯蔵装置を荷台に搭載したことを特徴とする車両。
【発明の詳細な説明】
【技術分野】
【０００１】
本発明は、使用する液体を貯留し、使用後の回収液体をも貯留しうる液体貯蔵装置に関するものである。
【背景技術】
【０００２】
従来、例えば、トリマーがペットのトリミングをする場合、その作業の一貫として水を使用する。店舗内で作業が行われるとき、上下水道が完備しているので水を供給し、排水するのに問題はない。しかし、水を車載して出張サービスをする場合に、使用済みの水を下水道等に直接流すことは、環境保護の観点及び衛生上の観点からできず使用済みの液体を持ち帰ることが必要であった。したがって、清水を入れた容器と、空の回収容器を積載して現場に出張し、回収容器に使用済みの水を回収して持ち帰っていた。
【発明の概要】
【発明が解決しようとする課題】
【０００３】
清水を入れる容器と回収容器を必ず運搬することとなり、車両の荷台スペースをつぶし、作業スペースを減らすことになった。あるいは、持参し得る水が制限されてしまうという問題があった。
【０００４】
そこで、本発明は未使用の水を入れた容器から供給された水を同一容器に回収し、一個の容器で兼用でき、荷台に設置した場合には、そこでの作業性を良くし、環境問題を解決できるような液体貯蔵装置及びそれを搭載した車両を提供することを目的としている。
【課題を解決するための手段】
【０００５】
上記目的を達成するために、本発明に係る液体貯蔵装置は、上槽と下槽とを有する小貯留槽を少なくとも一槽有し、複数の前記小貯留槽の場合には上槽連通口及び下槽連通口を有する区画壁によって区画構成される貯留槽と、前記小貯留槽には、前記上槽と前記下槽とを密封して仕切る隔膜と、前記貯留槽と仕切り壁を介して設けられ、前記仕切り壁の前記上槽との間に形成された連通口から前記上槽側の液体が流入して貯留された液体を外部に供給する供給貯留槽とを備えた構成をしている。前記隔膜は、前記上槽側に液体を入れた際に前記下槽の内周壁に張り付くほどに広がり、前記上槽側の液体を外部に供給し、前記下槽側に外部からの回収液体を回収するとき、前記上槽に入り込んでいく。
【０００６】
液体を上槽側に入れると小貯留槽に設けられた隔膜の上部に貯留し、貯留液体を使用し、使用された液体を隔膜で仕切られた下槽側に入れると液体を小貯留槽に設けられた隔膜の下部に収容する。このことにより、両者が混合されることを防止し、上槽の液体と下槽の液体の貯蔵量との増減が関連しつつ、使用済みの液体を回収することができる。
【発明の効果】
【０００７】
本発明の液体貯蔵装置は、未使用の液体を隔膜で仕切られた上槽側に貯留して車載され現地に搬送される。現地では、貯留液体を供給し、使用済み液体を隔膜で仕切られた下槽側に回収することができ、環境汚染を惹起することがない。また、車載する場合でも、しない場合でも、貯蔵する別々の容器を用意する必要がないので、設置スペースを減少させることができ、かつ作業性及び可搬性にも優れている。
【図面の簡単な説明】
【０００８】
【図１】本発明に係る液体貯蔵装置を車両に搭載したときの概略構成図である。
【図２】本発明に係る液体貯蔵装置を車両に搭載したときの概略構成斜視図である。
【図３】本発明の第１の実施例を示す部分的に破断した概略斜視図である。
【図４】図３の線Ａ−Ａの断面図である。
【図５】図４の隔膜及び隔膜押え部を示す斜視図である。
【発明を実施するための形態】
【０００９】
以下、本発明の実施例を示す図面に基づいて本発明を説明する。
【実施例１】
【００１０】
図１乃至図５は、本発明の液体貯蔵装置の一実施例を示している。図中、１は液体貯蔵装置であって、上槽１００ａと下槽１００ｂとを有する少なくとも一槽の小貯留槽１１０からなる貯留槽１００と、貯留槽１００と仕切り壁２１１を介して設けられた供給貯留槽２００とを主に備えている。貯留槽１００と供給貯留槽２００とからなる液体貯蔵装置１は、全体として直方体形状をなしている。
【００１１】
この実施例においては、貯留槽１００に小貯留槽１１０が３槽設けられている。各小貯留槽１１０は、隔膜３００によって上槽側と下槽側とを液封して仕切られている。隔膜３００は、上槽側に液体を入れた際に下槽１００ｂの内周壁１０６に張り付くほどに広がり、上槽側の液体を外部に供給し、下槽側に外部からの回収液体を回収するとき、上槽１００ａに入り込んでいくように伸縮自在に、あるいはそのような広がりを有する形状をしている。
【００１２】
具体的には、隔膜３００は、本実施例では伸縮性のある天然ゴムあるいは合成樹脂性のものが採用されている。
【００１３】
貯留槽１００は、上槽連通口１１２及び下槽連通口１１３を有する区画壁１１１によって複数の小貯留槽１１０に区画構成されている。
【００１４】
上槽連通口１１２は、本実施例においては図３に示すように、区画壁１１１の上端部には矩形に切り取られた開口１１２ａ及び隔膜取付部１２０の上方近傍には例えば３個の小円形の穴１１２ｂで形成されて構成されている。この隔膜取付部１２０は貯留槽１００の上下方向ほぼ中間に位置して上槽１００ａと下槽１００ｂとを形成させている。
【００１５】
同じく下槽連通口１１３は、区画壁１１１の下端部両端には三角形の隅切り１１３ａ及び隔膜取付部１２０の下方近傍には例えば３個の小円形の穴１１３ｂで形成されて構成されている。
【００１６】
図４及び図５において、隔膜３００の小貯留槽１１０への取付状態について説明する。両区画壁１１１、両側壁１０５で仕切られる空間の高さ方向の略中間の位置に下枠３０１が周壁に固定されている。具体的には、下枠３０１の上面に隔膜３００の周囲をパッキン３０５と共に上枠３０２によって挟持され、ボルト３０３で締め付けられている。上枠３０２は一体の枠の形状をしている。
【００１７】
図４に示すように、上枠３０２の上部及び下部には、ボルト３０３挿入用の穴及びボルト３０３取付用の穴が各々設けられている。また、下枠３０１のボルト取付穴は、下槽１００ｂから上槽１００ａへの漏水防止のため非貫通穴である。
【００１８】
貯留槽１００と供給貯留槽２００の上部を覆う蓋体２は、内部の清掃等を可能とするため開閉自在とされている。蓋体２の貯留槽１００に位置する部分の片隅には、液体供給口３とエアー抜き口４とが設けられている。液体を充填するための液体供給口３は必要に応じて図外の蓋で開閉自在にされている。エアー抜き口４は、運搬時にも液体が溢れ出ず、エアーのみを抜く構成になっている。
【００１９】
供給貯留槽２００は、貯留槽１００と仕切り壁２１１を介して隣接して設けられ、両者は仕切り壁２１１によって区画されている。この仕切り壁２１１は、貯留槽１００の上槽１００ａとの間に連通口２１２を有しており、連通口２１２は上端部に矩形に切り取られた開口２１２ａと隔膜取付部１２０の上方近傍に設けられた、例えば３個の小円形の穴２１２ｂとからなっている。
【００２０】
供給貯留槽２００は、底に近いところに液体を外部に供給するための供給パイプ２０１が接続されている。一方、小貯留槽１１０のいずれかには、下槽１００ｂに使用済みの液体を回収するための回収パイプ１０１が接続されている。この実施例では、供給貯留槽２００の底近くを貫通して隣接した小貯留槽１１０の下槽１００ｂで、その底に近いところに直接接続されている。これは、供給パイプ２０１と回収パイプ１０１を同一外壁面から接続することにより設置性をよくしている。
【００２１】
供給パイプ２０１及び回収パイプ１０１に供給駆動ポンプ２０３及び回収駆動ポンプ１０３が各々接続されている。また、必要に応じて図示しない逆流防止弁が設けられている。
【００２２】
図１及び図２には、本発明による液体貯蔵装置１が車両２０に搭載された状況が示されている。車両荷台２６には、車両前方部から荷台２６左側に寄せて、順に液体貯蔵装置１、ボイラー２１、燃料タンク２２、及び発電機２３が搭載されている。ボイラー２１、燃料タンク２２及び発電機２３上には、二点鎖線で示す高さ調整可能な作業台２４が設置されている。
【００２３】
作業台２４は、荷台２６の左側に寄せられ、その右側はトリマーなど作業者が移動自由な空間を形成している。したがって、作業者が車両内での作業をスムーズに行うことができるように配置されている。
【００２４】
図２に示すように、液体貯蔵装置１上には右方へはみ出すようにペットバス２５が設置されている。このペットバス２５は、例えば底が浅い部分２５ａと底が深い部分２５ｂとから構成されている。底の浅い部分２５ａは、液体貯蔵装置１の上方に位置させられ、底が深い部分は液体貯蔵装置１の上から外れて一段低い位置となっている。ペットバス２５の底が浅い部分２５ａの上部には、液体取り出し用の蛇口１１が配置され、ペットバス２５の底が深い部分２５ｂの底部には、排水枡１２が設置されている。液体取り出し用の蛇口１１の代わりに、あるいは追加してシャワーを設けることもできる。供給パイプ２０１は、ボイラー２１を介して蛇口１１に接続されている。
【００２５】
本発明の実施例はあくまでも例示に過ぎず、本発明の目的を逸脱しない範囲内での実施例及び変形例が含まれる。
【００２６】
以下、本発明に係る液体貯留装置１の使い方や作用を説明する。 
図１及び図２に示すように、車両２０に搭載されている液体貯留装置１は、図外のホースを液体供給口３に差し込み、ここから未使用の液体、ここでは水が最初の小貯留槽１１０に供給される。この水は隔膜３００の上に供給され、隔膜３００を伸ばしながら、あるいはほぼ下槽１００ｂ全体に広がっているところへ貯留していく。隔膜３００が下槽１００ｂの内周壁１０６に張り付くほどに広がって、さらには上槽１００ａにも貯留していく。隔膜取付部１２０より上方に水が溜っていくと、穴１１２ｂから隣接する小貯留槽１１０へ流れ込む。この小貯留槽１１０の水位が上昇してくると同じように次の小貯留槽１１０に穴１１２ｂから水が流れ込む。
【００２７】
どの小貯留槽１１０の水位が穴１１２ｂの位置を超えると、３つの小貯留槽１１２ｂの水位は同一となり、仕切り壁２１１の穴２１２ｂから水が供給貯留槽２００に流入する。流入が続き、穴２１２ｂの水位を過ぎると、３つの小貯留槽１１０と供給貯留槽２００との水位は同じで上昇していく。水位の上昇が続き、区画壁１１１の矩形の開口１１２ａ、仕切り壁２１１の開口２１２ａを超えて全体が同一水位を保つ。所定の水位になったときに、給水を止め、ホースを抜き、液体供給口３を閉める。これにより、液体貯蔵装置１への貯留が完了する。
【００２８】
なお、エアー抜き口４は、液体貯蔵装置１への水の供給あるいは外部への供給を円滑にするため、また、気温の変化による液体貯蔵装置１の膨張収縮を抑える役割を果している。
【００２９】
次に、充填された液体貯蔵装置１を搭載した車両２０は要請を受けた客先に出向き、ペットバス２５に蛇口１１から水を供給し水を張る。このとき、供給の水の温度を上げるには、燃料タンク２２からのボイラー２１を稼働させる。そこで、トリマーが、例えば、犬、猫などのペットを受け取り、作業台２４上でトリミングをする。その後、ペットバス２５の底が深い部分２５ｂに後脚を入れ、前脚を底が浅い部分２５ａに置かせて、溜めてある水やシャワーからの水とシャンプーで洗う。洗い終わった水は、排水枡１２の栓を抜き、回収パイプ１０１を通して接続先の小貯留槽１１０へ戻される。
【００３０】
これら供給パイプ２０１、回収パイプ１０１には、供給駆動ポンプ２０３、回収駆動ポンプ１０３、図示しない逆流防止弁によって、スムーズな供給、回収ができるようになっている。
【００３１】
回収パイプ１０１から小貯留槽１１０へ戻された水は、下槽１００ｂの隔膜３００の下側に送り込まれる。そして、隅切り１１３ａや隔膜取付部１２０の下方近傍の穴１１３ｂを通して各小貯留槽１１０に流れ込み、同一水位を保つ。各小貯留槽１１０では、隔膜３００の上槽１００ａ側の水が無くなった分だけ、下槽１００ｂ側に溜まり、次第に隔膜３００を押し上げていき、上槽１００ａ側に入り込ませ、上槽１００ａ側の水が供給されてしまったときには、回収された水が上槽１００ａ側の空間まで充填される。
【００３２】
したがって、回収容器を別に持つ必要がなく、効率的な配置で作業者の作業性を良くすることができる。また、使用された水は、現地で排水や散水することなく、全て持ち帰ることができ、環境問題を解決することができる。
【符号の説明】
【００３３】
１        液体貯蔵装置
２        蓋体
３        液体供給口
４        エアー抜き口
１１      蛇口
１２      排水枡
２０      車両
２１      ボイラー
２２      燃料タンク
２３      発電機
２４      作業台
２５      ペットバス
２５ａ    ペットバスの底が浅い部分
２５ｂ    ペットバスの底が深い部分
２６      荷台
１００    貯留槽
１００ａ  上槽
１００ｂ  下槽
１０１    回収パイプ
１０３    回収駆動ポンプ
１０５    側壁
１０６    内周壁
１１０    小貯留槽
１１１    区画壁
１１２    上槽連通口
１１２ａ  開口
１１２ｂ  小円形の穴
１１３    下槽連通口
１１３ａ  隅切り
１１３ｂ  小円形の穴
１２０    隔膜取付部
２００    供給貯留槽
２０１    供給パイプ
２０３    供給駆動ポンプ
２１１    仕切り壁
２１２    連通口
２１２ａ  開口
２１２ｂ  小円形の穴
３００    隔膜
３０１    下枠
３０２    上枠
３０３    ボルト
３０５    パッキン
【図１】
2015223889.tif 000003
【図２】
2015223889.tif 000004
【図３】
2015223889.tif 000005
【図４】
2015223889.tif 000006
【図５】
2015223889.tif 000007